(57)【要約】【課題】  容易に焦点調整作業を行うことを可能とする撮像装置をローコストに提供する。【解決手段】  撮像装置２１は、撮像レンズ４０、レンズ鏡筒４１、撮像素子４２、赤外光カットフイルタ４３、フイルタ保持部材４４からなる。レンズ鏡筒４１は、レンズ保持枠５２、マクロ切換用カム環５３、焦点調整用カム環５４、固定筒５５、コイルばね５６からなる。固定筒５５はカムピン８０を有する。焦点調整用カム環５４は、円環部７１、摘み部７２、接着剤流れ止め用突出部７３が一体に形成されている。円環部７１にはカム面７４が、カム面７４の近傍の位置にはローレット７５が形成されている。ローレット７５により接着剤が確実に付着し、カム面７４とカムピン８０とが強固に固着される。【選択図】        図３
2005189414.tif 000002
【特許請求の範囲】
【請求項１】
撮像レンズと、この撮像レンズを保持するレンズ保持枠と、このレンズ保持枠をスライド自在に保持する固定筒と、前記固定筒に固着され、前記撮像レンズで結像された画像を光電変換して画像信号を得る撮像素子と、通常撮影時と接写撮影時とで前記撮像素子に対する前記撮像レンズの焦点位置を切り換えるマクロ切換手段と、前記撮像素子に対する前記撮像レンズの位置を調整して焦点位置を調整する焦点位置調整手段とを備えた撮像装置において、
前記マクロ切換手段は、前記固定筒に対して取り付けられ、通常位置と突出位置との間で移動し、前記通常位置から前記突出位置に移動するときに通常撮像位置にある前記レンズ保持枠を光軸方向に押圧して近接撮像位置に移動させるマクロ切換用カム環と、このマクロ切換用カム環が前記突出位置から前記通常位置に移動したときに前記レンズ保持枠を通常撮像位置に復帰させる付勢部材とからなり、前記焦点位置調整手段は、前記固定筒に取り付けられ、光軸方向に移動することによって、前記レンズ保持枠を押圧する焦点調節用カム環からなり、前記マクロ切換用カム環と前記焦点調節用カム環とは、互いに当接し、且つ光軸方向に並んで配置されていることを特徴とする撮像装置。
【請求項２】
前記マクロ切換用カム環及び前記焦点調節用カム環は、互いに当接する面とは反対側の面にカム面がそれぞれ形成されており、これらのカム面のうち、一方は、前記レンズ保持枠に形成されたカムピンと、他方は前記固定筒に形成されたカムピンと摺接し、回転が入力されることにより光軸方向への移動を行うことを特徴とする請求項１記載の撮像装置。
【請求項３】
撮像レンズと、この撮像レンズを保持するレンズ保持枠と、このレンズ保持枠をスライド自在に保持する固定筒と、前記固定筒に固着され、前記撮像レンズで結像された画像を光電変換して画像信号を得る撮像素子と、前記撮像素子に対する前記撮像レンズの位置を調整して焦点位置を調整する焦点位置調整手段とを備えた撮像装置において、
前記焦点位置調整手段は、前記固定筒に取り付けられ、前記固定筒又は前記レンズ保持枠に形成されたカムピンと摺接するカム面が形成されており、回転が入力されて光軸方向に移動することによって、前記レンズ保持枠を押圧する焦点調節用カム環からなり、この焦点調節用カム環は、前記カム面の近傍に位置する外周面に複数の凹凸部が形成されていることを特徴とする請求項２記載の撮像装置。
【請求項４】
前記焦点調節用カム環と互いに当接し、且つ光軸方向に並んで前記固定筒に取り付けられており、通常位置と突出位置との間で移動し、前記通常位置から前記突出位置に移動するときに通常撮像位置にある前記レンズ保持枠を光軸方向に押圧して近接撮像位置に移動させるマクロ切換用カム環と、このマクロ切換用カム環が前記突出位置から前記通常位置に移動したときに前記レンズ保持枠を通常撮像位置に復帰させる付勢部材とからなるマクロ切換手段を備えており、前記焦点調節用カム環は、前記凹凸部に対して前記マクロ切換用カム環が位置する側の外周面から光軸と略直交する方向に突出する接着剤流れ止め用突出部が一体に形成されていることを特徴とする請求項３記載の撮像装置。
【発明の詳細な説明】
【技術分野】
【０００１】
本発明は、撮像素子に画像を結像して画像信号を得る撮像装置に関するものである。
【背景技術】
【０００２】
近年、急速に普及するデジタルカメラには、撮像レンズと、この撮像レンズを保持するレンズ保持枠と、撮像レンズにより結像された画像を光電変換するＣＣＤイメージセンサや、ＣＭＯＳイメージセンサなどの撮像素子とが組み込まれており、最近では、単体のデジタルカメラだけではなく、携帯電話や、ＰＤＡ（携帯型情報端末）、パーソナルコンピュータなどの各種電子機器に内蔵することが多くなってきていることから、上述したような撮像レンズ、レンズ保持枠、及び撮像素子を一体にユニット化した撮像装置（撮像ユニット）として組み立てられる。
【０００３】
このような撮像装置では、ローコスト化を図る目的から、撮像レンズとして単焦点のものを使用するので、撮像素子と撮像レンズとの間隔が適正な位置に組み込まれていなければ、焦点の合った画像を得ることはできない。そのため、組立工程時に撮像素子に対する撮像レンズの焦点調整を行った後、レンズ保持枠を固定しなければならない。このような焦点調整手段としては、例えば特許文献１に記載されているものがある。この焦点調整手段は、レンズ保持枠と係合するとともに、レンズ鏡胴のベースに対してスライド自在に支持された調整板と、この調整板をベースに固定する締結ネジとからなり、先ず焦点調整前に締結ネジを途中まで螺合させて調整板を保持させておいてから、調整板とともにレンズ保持枠を光軸方向に移動させて焦点調整を行った後、締結ネジをねじ込んで締結し、レンズ保持枠を固定している。
【０００４】
また、上記特許文献１では、通常撮影時の合焦点位置から、接写（マクロ）撮影時の合焦点位置に、レンズ保持枠の位置を切り換える切換手段を持ったレンズ鏡胴について記載されており、通常撮影と接写撮影との両方でピントが合うようにしている。
【０００５】
【特許文献１】特開２００３−１９５１３９号公報
【発明の開示】
【発明が解決しようとする課題】
【０００６】
しかしながら、上述特許文献１に記載されているような焦点調整手段を備えた撮像装置では、焦点調整を行う度に締結ネジを締結し、もし調整がずれていたら、締結ネジを緩めて調整し、再度締結ネジを締結するという作業をしなければならず、非常に手間がかかり、組立工程の時間を増加させてしまうことになる。また、調整板や締結ネジなど部品点数が多くなり、撮像装置のローコスト化を妨げることになる。さらにまた、上記特許文献１記載のレンズ鏡胴のように、通常撮影と接写撮影でレンズ保持枠の位置を切り換える切換手段を設けると部品点数や、組立工程の時間がさらに増加することになり、コストが増加してしまう。
【０００７】
本発明は上記の事情を考慮してなされたもので、撮像レンズ、レンズ保持枠、及び撮像素子を一体にユニット化し、通常撮影と接写撮影とで焦点位置の切り換えを可能とし、且つ容易に焦点調整作業を行うことができる撮像装置をローコストに提供することを目的とする。
【課題を解決するための手段】
【０００８】
本発明は、撮像レンズと、この撮像レンズを保持するレンズ保持枠と、このレンズ保持枠をスライド自在に保持する固定筒と、前記固定筒に固着され、前記撮像レンズで結像された画像を光電変換して画像信号を得る撮像素子と、通常撮影時と接写撮影時とで前記撮像素子に対する前記撮像レンズの焦点位置を切り換えるマクロ切換手段と、前記撮像素子に対する前記撮像レンズの位置を調整して焦点位置を調整する焦点位置調整手段とを備えた撮像装置において、前記マクロ切換手段は、前記固定筒に対して取り付けられ、通常位置と突出位置との間で移動し、前記通常位置から前記突出位置に移動するときに通常撮像位置にある前記レンズ保持枠を光軸方向に押圧して近接撮像位置に移動させるマクロ切換用カム環と、このマクロ切換用カム環が前記突出位置から前記通常位置に移動したときに前記レンズ保持枠を通常撮像位置に復帰させる付勢部材とからなり、前記焦点位置調整手段は、前記固定筒に取り付けられ、光軸方向に移動することによって、前記レンズ保持枠を押圧する焦点調節用カム環からなり、前記マクロ切換用カム環と前記焦点調節用カム環とは、互いに当接し、且つ光軸方向に並んで配置されていることを特徴とする撮像装置。
【０００９】
また、本発明では、前記マクロ切換用カム環及び前記焦点調節用カム環は、互いに当接する面とは反対側の面にカム面がそれぞれ形成されており、これらのカム面のうち、一方は、前記レンズ保持枠に形成されたカムピンと、他方は前記固定筒に形成されたカムピンと摺接し、回転が入力されることにより光軸方向への移動を行うことが好ましい。
【００１０】
さらにまた、本発明は、撮像レンズと、この撮像レンズを保持するレンズ保持枠と、このレンズ保持枠をスライド自在に保持する固定筒と、前記固定筒に固着され、前記撮像レンズで結像された画像を光電変換して画像信号を得る撮像素子と、前記撮像素子に対する前記撮像レンズの位置を調整して焦点位置を調整する焦点位置調整手段とを備えた撮像装置において、前記焦点位置調整手段は、前記固定筒に取り付けられ、前記固定筒又は前記レンズ保持枠に形成されたカムピンと摺接するカム面が形成されており、回転が入力されて光軸方向に移動することによって、前記レンズ保持枠を押圧する焦点調節用カム環からなり、この焦点調節用カム環は、前記カム面の近傍に位置する外周面に複数の凹凸部が形成されていることを特徴とする。なお、前記焦点調節用カム環と互いに当接し、且つ光軸方向に並んで前記固定筒に取り付けられており、通常位置と突出位置との間で移動し、前記通常位置から前記突出位置に移動するときに通常撮像位置にある前記レンズ保持枠を光軸方向に押圧して近接撮像位置に移動させるマクロ切換用カム環と、このマクロ切換用カム環が前記突出位置から前記通常位置に移動したときに前記レンズ保持枠を通常撮像位置に復帰させる付勢部材とからなるマクロ切換手段を備えており、前記焦点調節用カム環は、前記凹凸部に対して前記マクロ切換用カム環が位置する側の外周面から光軸と略直交する方向に突出する接着剤流れ止め用突出部が一体に形成されていることが好ましい。
【発明の効果】
【００１１】
本発明の撮像装置は、マクロ切換用カム環と焦点調節用カム環とが、互いに当接し、且つ光軸方向に並んで配置されているので、通常撮影と接写撮影とで焦点位置の切り換えを確実に行うことができ、且つ容易に焦点調整作業を行うことが可能となっているとともに、部品点数の少ない構成となっているので、撮像装置のローコスト化を図ることができる。
【００１２】
また、焦点調節用カム環の外周面で、カム面の近傍の位置に複数の凹凸部を形成したので、接着剤を少量使用するだけで、焦点調整用カム環を確実に固着させることが可能であり、作業工程の短縮、撮像装置の軽量化、及びローコスト化を図ることができる。
【００１３】
さらに、焦点調節用カム環の凹凸部に対してマクロ切換用カム環が位置する側の外周面から光軸と略直交する方向に突出する接着剤流れ止め用突出部が一体に形成されているので、所定の位置以外に接着剤が流れ込むことを防止し、撮像装置の動作不良を防ぐことができる。
【発明を実施するための最良の形態】
【００１４】
以下、図面に従って本発明に係る撮像装置の好ましい実施の形態について詳説する。図１及び図２は、本発明を適用したカメラ付き携帯電話の正面側及び背面側の外観斜視図である。カメラ付き携帯電話１の本体部２は、上部筐体１１、及び下部筐体１２と、これら筐体１１，１２を回動自在に連結するヒンジ部１３とから構成されている。
【００１５】
上部筐体１１には、図２に示すように、本発明が実施された撮像装置２１が設けられており、カメラ付き携帯電話１では、この撮像装置２１から被写体画像を取得する。ヒンジ部１３には、カメラ付き携帯電話１の使用時に、上部筐体１１と下部筐体１２とが所定の角度で係止されるように、クリック機構（図示せず）が設けられている。本体部２は、ヒンジ部１３を介して回動させることにより、上部筐体１１と下部筐体１２とを展開及び折り畳み可能となっており、カメラ付き携帯電話１の非使用時には、上部筐体１１と下部筐体１２とが平行となるように折り畳まれる。
【００１６】
筐体１１，１２は、ともに略矩形の薄板形状に形成されており、上部筐体１１の背面１１ａからは撮像装置２１が露呈し、正面１１ｂにはＬＣＤパネル２６及び受話スピーカ２７が、上面１１ｃにはアンテナ２８が、一方の側面１１ｄには、マクロスイッチ２９が配置されており、下部筐体１２の正面１２ａには操作部３１及び送話マイク３２が配置されている。さらに下部筐体１２の下面１２ｂには、パーソナルコーンピュータなどの外部機器とケーブル接続するためのソケット３４、及びメモリーカードが装填されるメモリカードスロット３６が設けられている。
【００１７】
アンテナ２８は、通話や電子メールサービス、インターネット接続サービスを利用する際に他の携帯電話やインターネットサーバからの電波信号を受信するとともに、カメラ付き携帯電話１から発信される電波信号を外部に送信する。受話スピーカ２７は、通信相手の音声や着信音などを出力する。ＬＣＤパネル２６には、メニュー画面や着信相手の電話番号などの各種情報、撮像素子２２により得られたスルー画像や、メモリカードに記録された画像が表示される。送話マイク３２は、話し手の音声を電気的な音声信号に変換して、アンテナ２８を介して通話相手に送信する。
【００１８】
操作部３１は、選択キー３１ａ、シャッタボタン３１ｂや、ダイヤルキー３１ｃなどからなる。選択キー３１ａは、各種メニューの選択・設定などに使用される。このカメラ付き携帯電話１は、各種モードの中から撮像モードを選択して被写体の撮像を行うことができるようになっており、これらモードの選択は選択キー３１ａを操作して行う。また、選択キー３１ａは、撮像装置２１による被写体の撮像操作にも使用される。シャッタボタン３１ｂは、撮像装置２１により撮像を行うときのレリーズ操作に使用する。さらにまた、ダイヤルキー３１ｃは、電話番号や電子メールの文章などを入力する際に操作される。
【００１９】
撮像装置２１は、図３、図４及び図５に示すように、撮像レンズ４０、レンズ鏡筒４１、撮像素子４２、赤外光カットフイルタ４３、及びフイルタ保持部材４４からなる。そして、これらが一体となったユニット状態で、図４に示すように、上部筐体１１に組み込まれている。撮像素子４２としては、ＣＣＤまたはＣＭＯＳが使用される。この撮像素子４２は、受光素子４６，この受光素子４６が実装された半導体基板４７、及び受光素子４６の表面を覆うガラスカバー４８などからなる。
【００２０】
この撮像装置２１は、図４に示すように、筐体１１に形成された露呈穴４９と対面する位置に固定されており、露呈穴４９の周囲には、撮像素子２１へ向かって突出する嵌合ボス５０が形成されている。この嵌合ボス５０には、円柱状に切り欠かれた嵌合凹部５０ａが形成されている。また、露呈穴４９には、内径が小さくなっている絞り部４９ａが形成されているとともに、保護カバー５１が設けられている。
【００２１】
レンズ鏡筒４１は、撮像レンズ４０を保持するレンズ保持枠５２、マクロ切換用カム環５３、焦点調整用カム環５４、固定筒５５、及びコイルばね５６からなり、レンズ保持枠５２は、固定筒５５に対して最も被写体側に位置し、このレンズ保持枠５２と固定筒５５との間に挟み込まれるようにマクロ切換用カム環５３及び焦点調整用カム環５４が位置する。
【００２２】
レンズ保持枠５２は、詳しくは図５に示すように、撮像レンズ４０を保持する円筒状の枠部５７、この枠部５７の外周面から周囲に突出するように形成されたフランジ部５８、及びこのフランジ部５８の端部の複数箇所に設けられた係止爪５９とからなる。なお、係止爪５９は、図中２箇所に設けられているが、これに限らず、レンズ保持枠５２を安定して係止できるように３箇所以上設けてもよい。枠部５７は、フランジ部５８より被写体側の前方円筒部５７ａと、フランジ部５８より像面側の後方円筒部５７ｂとからなる。また、フランジ部５８には、像面側へ突出するカムピン６０が一体に形成されている。なお、図４では、撮像レンズ４０として第１群４０ａ、第２群４０ｂ及び第３群４０ｃからなる３群のレンズが図示されているがこれに限るものではない。
【００２３】
マクロ切換用カム環５３は、円環部６１と、この円環部６１の外周面から突出する摘み部６２とが一体に形成されている。円環部６１は、レンズ保持枠５２に面する端面６１ａから軸方向に沿って切り欠かれた切欠き部６１ｂが形成されており、この切欠き部６１ｂの一部にカム面６３が形成されている。このカム面６３は、レンズ保持枠５２のカムピン６０と摺接する。
【００２４】
このマクロ切換用カム環５３のカム面６３は、レンズ保持枠５２が通常撮像位置と、マクロ（接写）撮像位置との間で移動するように、像面側から被写体側に向かって徐々に傾斜するように形成されている。そして、マクロ切換用カム環５３は、マクロスイッチ２９のスライド操作に連動して、摘み部６２が光軸Ｌと略直交する方向に移動することにより円環部６１が回転する。円環部６１が回転するとカム面６３及びカムピン６０のリードに従ってマクロ切換用カム環５３が光軸Ｌに沿って初期位置及び突出位置の間を直進移動する。これにより、レンズ保持枠５２は通常撮像位置とマクロ撮像位置との間での切り換えが行われる。
【００２５】
マクロ切換用カム環５３に設けられた切欠き部６１ｂ及びカム面６３は、図中３箇所に形成され、撮像光軸Ｌを中心にして１２０度間隔で回転対称な位置に配されている。なお、この切欠き部６１ｂ及びカム面６３の個数は、マクロ切換用カム環５３が安定して移動できれば、これに限るものではない。また、カム面６３と摺接するカムピン６０も、カム面６３の位置及び個数に合わせて配されている。
【００２６】
焦点調整用カム環５４は、詳しくは図６及び図７に示すように、円環部７１と、摘み部７２と、接着剤流れ止め用突出部７３とが一体に形成されている。円環部７１は、固定筒５５に面する端面７１ａから軸方向に沿って切り欠かれた切欠き部７１ｂが形成されており、この切欠き部７１ｂの一部にカム面７４が形成されている。摘み部７２は、円環部７１の外周面から突出するように形成されており、カム面７４とは角度位置をずらした箇所に配されている。焦点調整用カム環５４に設けられた切欠き部７１ｂ及びカム面７４は、マクロ切換用カム環５３に設けられた切欠き部６１ｂ及びカム面６３と同様に、図中３箇所に形成されているが、焦点調節用カム環５４が安定して移動できれば、これに限るものではない。
【００２７】
さらに、円環部７１の外周面７１ｃで、カム面７４の近傍の位置には、ローレット（凹凸部）７５が形成されており、このローレット７５に対して光軸方向の被写体側で隣接する位置に、接着剤流れ止め用突出部７３が配されている。ローレット７５は、流れ止め用突出部７３とカム面７４との間で、カム面７４の形成されている範囲とほぼ同じ角度範囲となるように形成されている複数のライン状の凹部７５ａからなる。なお、このローレット７５が形成される角度範囲Ｄ（図６参照）としては、例えば２５°以内に設定されている。凹部７５ａは、撮像光軸Ｌに沿った筋状で、互いに平行且つ等間隔な位置に形成されている。なお、図中、ローレット７５は５本の凹部７５ａから形成されているが、この本数に限るものではない。なお、接着剤流れ止め用突出部７３は、円環部７１の被写体側の端面７１ｄに沿って、カム面７４とほぼ同じ角度範囲で外周面７１ｃから突出するように形成されている。
【００２８】
固定筒５５は、円筒部７６と、この円筒部７６の下面に一体に形成されたベース部７７と、ベース部７７から上方に突出する突出片７８とからなる。円筒部７６は、撮像レンズ４０の撮像光軸Ｌを中心にした円筒形状に形成されており、外周面７６ａに、マクロ切換用カム環５３及び焦点調整用カム環５４が、内周面７６ｂにレンズ保持枠５２がそれぞれ回転自在且つ光軸方向にスライド自在に嵌合する。ベース部７７は矩形板状で、背面側にフイルタ保持部材４４及び撮像素子４２が固着される。
【００２９】
ベース部７７の下面７７ａには開口部７９が形成されており、この開口部７９に対面する位置に撮像素子４２が固定されている。突出片７８は、ベース部７７の４隅付近にそれぞれ形成されている。
【００３０】
さらに、このベース部７７には、上述の焦点調整用カム環５４のカム面７４の位置及び個数に合わせたカムピン８０、及びレンズ保持枠５２の係止爪５９の位置に合わせた係止爪８１がそれぞれ一体に形成されている。
【００３１】
焦点調整用カム環５４は、円筒部７６に嵌合することにより、カム面７４がカムピン８０と摺接した状態となるとともに、円環部７１の被写体側の端面７１ｄがマクロ切換用カム環５３に当接する。このカム面７４は、レンズ保持枠５２が光軸方向に移動するように、像面側から被写体側に向かって徐々に傾斜するように形成されており、初期位置では、円環部７１の端面７１ａがベース部７７に当接する初期位置にあり、この初期位置からカム面７４の傾斜に従って円環部７１の端面７１ａがベース部７７から離れる突出位置に移動する。そして、焦点調整用カム環５４は、摘み部７２が光軸Ｌと略直交する方向に移動することにより円環部７１が回転する。円環部７１が回転するとカム面７４及びカムピン８０のリードに従って焦点調整用カム環５４が光軸Ｌに沿って初期位置から突出位置の間を移動する。
【００３２】
係止爪８１には、コイルばね５６の一端部５６ａが係止され、他端部５６ｂがレンズ保持枠５２の係止爪５９に係止される。これによって、レンズ保持枠５２は、固定筒５５に対して、光軸方向に所定のストロークでスライド自在な状態で保持される。上述したようにレンズ保持枠５２のフランジ部５８には、マクロ切換用カム環５３が当接しており、マクロ切換用カム環５３が光軸Ｌに沿って初期位置から突出位置に移動すると、レンズ保持枠５２も一体となって移動し、通常撮像位置からマクロ撮像位置に切り換わる。なお、マクロ切換用カム環５３が突出位置から初期位置に戻ると、レンズ保持枠５２もコイルばね５６の付勢によって像面側へ移動し、通常撮像位置に復帰する。
【００３３】
赤外光カットフイルタ４３は透明なガラス基板に可視光を透過して赤外光を遮断する多層膜をコーティングしたものである。フイルタ保持部材４４は、略矩形に形成され、赤外光カットフイルタ４３に向かって突出する押さえ部４４ａ，４４ｂが一体に形成されている。この押さえ部４４ａ，４４ｂは、その弾性力によって赤外光カットフイルタ４３を固定筒５５側へ押さえて赤外光カットフイルタ４３を保持する。赤外光カットフイルタ４３を保持するフイルタ保持部材４４は、固定筒５５の開口部７９に嵌めこまれ、且つ固定筒５５及び撮像素子４２の間に挟まれて固定される。固定筒５５と撮像素子４２との固定では、接着剤が塗布されることにより固着される。なお、接着剤の種類としては、例えば紫外線硬化タイプのものが使用される。
【００３４】
以上のように構成され、ユニット化された撮像装置２１は、撮像素子４２に対する撮像レンズ４０の焦点調整を行った後に、筐体１１の内部に組み込まれる。この焦点調整の方法を以下に説明する。焦点調整を行うときには先ず、撮像素子４２にテスト用の回路を接続するとともに、撮像光軸Ｌ上に焦点調整用のテストチャートを配置し、撮像素子４２の結像面に露光されたテストチャートの画像から解像度を読み取る。そして、規定の解像度が得られていないときには、摘み部７２を作業者が指で、又はロボットアームなどで動かすことによって焦点調整用カム環５４を所定の回転量だけ回転させて焦点調整を行う。焦点調整用カム環５４を所定量回転させると光軸方向に少しずつ移動するので、この焦点調整用カム環５４の移動によって押圧を受けたレンズ保持枠５２も一体となって光軸方向に移動する。これにより、撮像素子４２に対する撮像レンズ４０の相対的な位置が変化するので、この状態のまま再度テストチャートの画像を撮像し、解像度を読み取る。もし規定の解像度が得られなければ、焦点調整用カム環５４の所定量回転及びテストチャートの撮像を繰り返し行なう。そして規定の解像度が得られていれば、焦点調整を終了する。このように、焦点調整用カム環５４を回転させるだけで、容易に焦点調整作業を行うことが可能であり、作業工程の時間を短縮することができる。
【００３５】
焦点調整が終了した撮像装置２１には、焦点調整用カム環５４の固着工程が行われる。撮像装置２１は上述のように焦点調整が行われた状態で、焦点調整用カム環５４の位置がずれないようにセットされ、カム面７４とカムピン８０との間に接着剤８５が塗布される。このとき、カム面７４の付近には、ローレット７５が形成されていることから、接着剤８５が塗布される表面積が広くなっているので、接着剤８５の食い付きが良く、焦点調整用カム環５４を確実に固着することができる。さらに、ローレット７５の近傍には、接着剤流れ止め用突出部７３が形成されているので、接着剤８５がマクロ調整用カム環５３やレンズ保持枠５２の方へ流れ出すのを防ぐことができる。
【００３６】
上述したように、簡単な構成で、通常撮像とマクロ撮像との切り換え、及び焦点調整を容易に行うことが可能となっており、さらに焦点調整作業で、カム面７４とカムピン８０との間に接着剤８５が確実に付着するように、ローレット７５を形成しており、固定筒５５に対する焦点調整カム環５４の固定を強固に行うことが可能となる。これにより、この焦点調整用カム環５４の固定に対して、より少量の接着剤８５を使用するだけで確実に固着させることが可能となるので、作業工程の短縮、撮像装置の軽量化、及びローコスト化を図るうえで非常に効果的である。また、ローレット７５の近傍に、接着剤流れ止め用突出部７３を設けることによって、接着剤８５が流れ出すのを防止することができるので、接着剤８５がマクロ調整用カム環５３やレンズ保持枠５２に付着してこれらが固着されることを防ぎ、撮像装置２１の動作不良を防止することができる。
【００３７】
上記実施形態では、焦点調整用カム環５４のカム面７４の近傍に形成された複数の凹凸部として、平行なライン状のローレット７５が形成されているが、これに限るものではなく、焦点調整用カム環５４の円環部７１の外周面が凹凸に形成されたものであれば、他の形状でもよく、例えば、網目状のローレットや、梨地状でもよい。
【００３８】
なお、上記実施形態においては、カメラ付き携帯電話を例に上げて説明しているが、これに限らず、携帯電話、又はＰＤＡ、パーソナルコンピュータなどに適用してもよい。
【００３９】
また、上記実施形態においては、焦点調整用カム環５４をマクロ切換用カム環５３と固定筒５５との間に挟み込む位置に保持しているが、これに限らず、焦点調整用カム環５４をマクロ切換用カム環５３よりも被写体側、すなわち、レンズ保持枠５２とマクロ切換用カム環５３との間に挟み込むように配置してもよい。さらにこの場合、レンズ保持枠５２に一体に形成したカムピンを焦点調整用カム環５４のカム面に摺接させて、これらのカムピン及びカム面を介して焦点調整用カム環５４を回転することによりレンズ保持枠５２を光軸方向に移動することができるので、上記実施形態と同様の効果を得ることができる。またこれに限らず、マクロ切換用カム環を省略する構成にしてもよい。
【図面の簡単な説明】
【００４０】
【図１】本発明を適用したカメラ付き携帯電話を示す正面側斜視図である。
【図２】カメラ付き携帯電話の背面側斜視図である。
【図３】撮像装置を示す斜視図である。
【図４】カメラ付き携帯電話の要部断面図である。
【図５】撮像装置の構成を示す分解斜視図である。
【図６】焦点調整用カム環の斜視図である。
【図７】焦点調整用カム環の正面図である。
【図８】焦点調整の工程を示す説明図である。
【符号の説明】
【００４１】
１  カメラ付き携帯電話
２  本体部
１１，１２  筐体
１３  ヒンジ部
２１  撮像装置
４０  撮像レンズ
４１  レンズ鏡筒
５２  レンズ保持枠
５４  焦点調整用カム環
５５  固定筒
７３  接着剤流れ止め用突出部
７５  ローレット
【図１】
2005189414.tif 000003
【図２】
2005189414.tif 000004
【図３】
2005189414.tif 000005
【図４】
2005189414.tif 000006
【図５】
2005189414.tif 000007
【図６】
2005189414.tif 000008
【図７】
2005189414.tif 000009
【図８】
2005189414.tif 000010